(57)【特許請求の範囲】
【請求項１】
受信ＡＣ結合素子を介して信号を受信する受信回路に対して、前記受信ＡＣ結合素子にＡＣ結合される送信ＡＣ結合素子を介して信号を送信する送信回路であって、
送信する送信信号に同期して駆動信号を生成する駆動信号生成回路と、
前記駆動信号に応じて、前記送信信号の立ち上がりエッジ及び立ち下がりエッジに同期して予め定められた駆動期間の間前記送信ＡＣ結合素子の両端間に駆動電流を流し、前記駆動期間の後、前記送信ＡＣ結合素子の両端間のインピーダンスを低くして前記送信ＡＣ結合素子の両端に等しい電圧を印加し、その後に前記送信ＡＣ結合素子の両端間のインピーダンスを高くして前記送信ＡＣ結合素子の両端に等しい電圧を印加する駆動回路と、
を備えることを特徴とする送信回路。
【請求項２】
前記駆動回路は、
第１電圧が供給される一端と、前記送信ＡＣ結合素子の一端に電気的に接続される他端と、を有する第１のスイッチ素子と、
第２電圧が供給される一端と、前記送信ＡＣ結合素子の一端に電気的に接続される他端と、を有する第２のスイッチ素子と、
前記第１電圧が供給される一端と、前記送信ＡＣ結合素子の他端に電気的に接続される他端と、を有する第３のスイッチ素子と、
前記第２電圧が供給される一端と、前記送信ＡＣ結合素子の他端に電気的に接続される他端と、を有する第４のスイッチ素子と、を有し、
前記駆動信号生成回路は、前記第１及び第４のスイッチ素子、又は、前記第２及び第３のスイッチ素子の各インピーダンスを前記駆動期間の間低くして前記駆動電流を流し、前記駆動期間の後、前記第１から第４のスイッチ素子の各インピーダンスを低くして前記送信ＡＣ結合素子の両端に前記第１電圧と前記第２電圧との間の電圧を印加し、その後、前記第１から第４のスイッチ素子の各インピーダンスを高くして前記送信ＡＣ結合素子の両端に前記第１電圧と前記第２電圧との間の電圧を印加する、ことを特徴とする請求項１に記載の送信回路。
【請求項３】
受信ＡＣ結合素子を介して信号を受信する受信回路に対して、前記受信ＡＣ結合素子にＡＣ結合される送信ＡＣ結合素子を介して信号を送信する送信回路であって、
送信する送信信号に同期して駆動信号を生成する駆動信号生成回路と、
前記駆動信号に応じて、前記送信信号の立ち上がりエッジ及び立ち下がりエッジに同期して予め定められた駆動期間の間前記送信ＡＣ結合素子の両端間に駆動電流を流し、前記駆動期間の後、前記送信ＡＣ結合素子の両端に印加電圧を印加する駆動回路と、
を備え、
前記駆動回路は、
第１電圧が供給される一端と、前記送信ＡＣ結合素子の一端に電気的に接続される他端と、を有する第１のスイッチ素子と、
第２電圧が供給される一端と、前記送信ＡＣ結合素子の一端に電気的に接続される他端と、を有する第２のスイッチ素子と、
前記第１電圧が供給される一端と、前記送信ＡＣ結合素子の他端に電気的に接続される他端と、を有する第３のスイッチ素子と、
前記第２電圧が供給される一端と、前記送信ＡＣ結合素子の他端に電気的に接続される他端と、を有する第４のスイッチ素子と、
前記第１のスイッチ素子の一端と他端との間に接続された第１のインピーダンス素子と、
前記第２のスイッチ素子の一端と他端との間に接続された第２のインピーダンス素子と、
前記第３のスイッチ素子の一端と他端との間に接続された第３のインピーダンス素子と、
前記第４のスイッチ素子の一端と他端との間に接続された第４のインピーダンス素子と、を有し、
前記駆動信号生成回路は、前記第１及び第４のスイッチ素子、又は、前記第２及び第３のスイッチ素子を前記駆動期間の間導通させて前記駆動電流を流し、前記駆動期間の後、前記第１から第４のスイッチ素子を導通させて前記送信ＡＣ結合素子の両端に前記印加電圧を印加し、その後、前記第１から第４のスイッチ素子を非導通にして前記送信ＡＣ結合素子の両端に前記第１電圧と前記第２電圧との間の電圧を印加する、ことを特徴とする送信回路。
【請求項４】
受信ＡＣ結合素子を介して信号を受信する受信回路に対して、前記受信ＡＣ結合素子にＡＣ結合される送信ＡＣ結合素子を介して信号を送信する送信回路であって、
送信する送信信号に同期して駆動信号を生成する駆動信号生成回路と、
前記駆動信号に応じて、前記送信信号の立ち上がりエッジ及び立ち下がりエッジに同期して予め定められた駆動期間の間前記送信ＡＣ結合素子の両端間に駆動電流を流し、前記駆動期間の後、前記送信ＡＣ結合素子の両端に印加電圧を印加する駆動回路と、
を備え、
前記駆動回路は、
第１電圧が供給される一端と、前記送信ＡＣ結合素子の一端に電気的に接続される他端と、を有する第１のスイッチ素子と、
第２電圧が供給される一端と、前記送信ＡＣ結合素子の一端に電気的に接続される他端と、を有する第２のスイッチ素子と、
前記第１電圧が供給される一端と、前記送信ＡＣ結合素子の他端に電気的に接続される他端と、を有する第３のスイッチ素子と、
前記第２電圧が供給される一端と、前記送信ＡＣ結合素子の他端に電気的に接続される他端と、を有する第４のスイッチ素子と、を有し、
前記第１から第４のスイッチ素子は、トランジスタであり、
前記駆動信号生成回路は、前記第１及び第４のスイッチ素子、又は、前記第２及び第３のスイッチ素子の各インピーダンスを前記駆動期間の間低くして前記駆動電流を流し、前記駆動期間の後、前記第１から第４のスイッチ素子の各インピーダンスを低くして前記送信ＡＣ結合素子の両端に前記第１電圧と前記第２電圧との間の電圧である前記印加電圧を印加し、その後、前記第１から第４のスイッチ素子の各インピーダンスを高くして前記送信ＡＣ結合素子の両端に前記第１電圧と前記第２電圧との間の電圧を印加する、ことを特徴とする送信回路。
【請求項５】
前記駆動回路は、
前記第１のスイッチ素子の他端及び前記第２のスイッチ素子の他端の接続ノードと、前記送信ＡＣ結合素子の一端との間に接続された第５のインピーダンス素子と、
前記第３のスイッチ素子の他端及び前記第４のスイッチ素子の他端の接続ノードと、前記送信ＡＣ結合素子の他端との間に接続された第６のインピーダンス素子と、
を有することを特徴とする請求項２から請求項４の何れかに記載の送信回路。
【請求項６】
前記駆動回路は、
前記第１のスイッチ素子の他端と前記送信ＡＣ結合素子の一端との間に接続された第５のインピーダンス素子と、
前記第２のスイッチ素子の他端と前記送信ＡＣ結合素子の一端との間に接続された第６のインピーダンス素子と、
前記第３のスイッチ素子の他端と前記送信ＡＣ結合素子の他端との間に接続された第７のインピーダンス素子と、
前記第４のスイッチ素子の他端と前記送信ＡＣ結合素子の他端との間に接続された第８のインピーダンス素子と、
を有することを特徴とする請求項２から請求項４の何れかに記載の送信回路。
【請求項７】
前記駆動回路は、
第１電圧が供給される一端と、前記送信ＡＣ結合素子の一端に接続される他端と、を有する第１のインピーダンス素子と、
前記第１電圧が供給される一端と、前記送信ＡＣ結合素子の他端に接続される他端と、を有する第２のインピーダンス素子と、
前記第１のインピーダンス素子の他端に接続される一端を有する第１のスイッチ素子と、
前記第２のインピーダンス素子の他端に接続される一端を有する第２のスイッチ素子と、
前記第１のスイッチ素子の他端および前記第２のスイッチ素子の他端に接続される一端と、第２電圧が供給される他端と、を有する定電流源と、を有し、
前記駆動信号生成回路は、前記第１のスイッチ素子又は前記第２のスイッチ素子を前記駆動期間の間導通させて前記駆動電流を流し、前記駆動期間の後、前記第１及び第２のスイッチ素子を非導通にする、ことを特徴とする請求項１に記載の送信回路。
【請求項８】
送信ＡＣ結合素子と、
前記送信ＡＣ結合素子を介して信号を送信する送信回路と、
前記送信ＡＣ結合素子にＡＣ結合される受信ＡＣ結合素子と、
前記受信ＡＣ結合素子を介して信号を受信する受信回路と、を備え、
前記送信回路は、
送信する送信信号に同期して駆動信号を生成する駆動信号生成回路と、
前記駆動信号に応じて、前記送信信号の立ち上がりエッジ及び立ち下がりエッジに同期して予め定められた駆動期間の間前記送信ＡＣ結合素子の両端間に駆動電流を流し、前記駆動期間の後、前記送信ＡＣ結合素子の両端間のインピーダンスを低くして前記送信ＡＣ結合素子の両端に等しい電圧を印加し、その後に前記送信ＡＣ結合素子の両端間のインピーダンスを高くして前記送信ＡＣ結合素子の両端に等しい電圧を供給する駆動回路と、を有し、  前記受信回路は、入出力特性にヒステリシスを有し、前記受信ＡＣ結合素子で受信された第１受信信号に応じて第２受信信号を出力するヒステリシス回路を有し、
待ち受け時の前記第２受信信号の論理は、前記送信信号の初期値の論理とは異なる、ことを特徴とする通信システム。
【請求項９】
送信ＡＣ結合素子と、
前記送信ＡＣ結合素子を介して信号を送信する送信回路と、
前記送信ＡＣ結合素子にＡＣ結合される受信ＡＣ結合素子と、
前記受信ＡＣ結合素子を介して信号を受信する受信回路と、を備え、
前記送信回路は、
送信する送信信号に同期して駆動信号を生成する駆動信号生成回路と、
前記駆動信号に応じて、前記送信信号の立ち上がりエッジ及び立ち下がりエッジに同期して予め定められた駆動期間の間前記送信ＡＣ結合素子の両端間に駆動電流を流し、前記駆動期間の後、前記送信ＡＣ結合素子の両端に印加電圧を印加する駆動回路と、
を備え、
前記駆動回路は、
第１電圧が供給される一端と、前記送信ＡＣ結合素子の一端に電気的に接続される他端と、を有する第１のスイッチ素子と、
第２電圧が供給される一端と、前記送信ＡＣ結合素子の一端に電気的に接続される他端と、を有する第２のスイッチ素子と、
前記第１電圧が供給される一端と、前記送信ＡＣ結合素子の他端に電気的に接続される他端と、を有する第３のスイッチ素子と、
前記第２電圧が供給される一端と、前記送信ＡＣ結合素子の他端に電気的に接続される他端と、を有する第４のスイッチ素子と、
前記第１のスイッチ素子の一端と他端との間に接続された第１のインピーダンス素子と、
前記第２のスイッチ素子の一端と他端との間に接続された第２のインピーダンス素子と、
前記第３のスイッチ素子の一端と他端との間に接続された第３のインピーダンス素子と、
前記第４のスイッチ素子の一端と他端との間に接続された第４のインピーダンス素子と、を有し、
前記駆動信号生成回路は、前記第１及び第４のスイッチ素子、又は、前記第２及び第３のスイッチ素子を前記駆動期間の間導通させて前記駆動電流を流し、前記駆動期間の後、前記第１から第４のスイッチ素子を導通させて前記送信ＡＣ結合素子の両端に前記印加電圧を印加し、その後、前記第１から第４のスイッチ素子を非導通にして前記送信ＡＣ結合素子の両端に前記第１電圧と前記第２電圧との間の電圧を印加し、
前記受信回路は、入出力特性にヒステリシスを有し、前記受信ＡＣ結合素子で受信された第１受信信号に応じて第２受信信号を出力するヒステリシス回路を有し、
待ち受け時の前記第２受信信号の論理は、前記送信信号の初期値の論理とは異なる、ことを特徴とする通信システム。
【請求項１０】
送信ＡＣ結合素子と、
前記送信ＡＣ結合素子を介して信号を送信する送信回路と、
前記送信ＡＣ結合素子にＡＣ結合される受信ＡＣ結合素子と、
前記受信ＡＣ結合素子を介して信号を受信する受信回路と、を備え、
前記送信回路は、
送信する送信信号に同期して駆動信号を生成する駆動信号生成回路と、
前記駆動信号に応じて、前記送信信号の立ち上がりエッジ及び立ち下がりエッジに同期して予め定められた駆動期間の間前記送信ＡＣ結合素子の両端間に駆動電流を流し、前記駆動期間の後、前記送信ＡＣ結合素子の両端に印加電圧を印加する駆動回路と、
を備え、
前記駆動回路は、
第１電圧が供給される一端と、前記送信ＡＣ結合素子の一端に電気的に接続される他端と、を有する第１のスイッチ素子と、
第２電圧が供給される一端と、前記送信ＡＣ結合素子の一端に電気的に接続される他端と、を有する第２のスイッチ素子と、
前記第１電圧が供給される一端と、前記送信ＡＣ結合素子の他端に電気的に接続される他端と、を有する第３のスイッチ素子と、
前記第２電圧が供給される一端と、前記送信ＡＣ結合素子の他端に電気的に接続される他端と、を有する第４のスイッチ素子と、を有し、
前記第１から第４のスイッチ素子は、トランジスタであり、
前記駆動信号生成回路は、前記第１及び第４のスイッチ素子、又は、前記第２及び第３のスイッチ素子の各インピーダンスを前記駆動期間の間低くして前記駆動電流を流し、前記駆動期間の後、前記第１から第４のスイッチ素子の各インピーダンスを低くして前記送信ＡＣ結合素子の両端に前記第１電圧と前記第２電圧との間の電圧である前記印加電圧を印加し、その後、前記第１から第４のスイッチ素子の各インピーダンスを高くして前記送信ＡＣ結合素子の両端に前記第１電圧と前記第２電圧との間の電圧を印加し、
前記受信回路は、入出力特性にヒステリシスを有し、前記受信ＡＣ結合素子で受信された第１受信信号に応じて第２受信信号を出力するヒステリシス回路を有し、
待ち受け時の前記第２受信信号の論理は、前記送信信号の初期値の論理とは異なる、ことを特徴とする通信システム。
【請求項１１】
前記受信ＡＣ結合素子は、受信インダクタであり、
前記送信ＡＣ結合素子は、前記受信インダクタに誘導結合される送信インダクタである、ことを特徴とする請求項８乃至１０のいずれか一項に記載の通信システム。
【請求項１２】
前記受信ＡＣ結合素子は、第１受信電極と、第２受信電極と、を有し、
前記送信ＡＣ結合素子は、
前記送信ＡＣ結合素子の一端に接続され、前記第１受信電極に容量結合される第１送信電極と、
前記送信ＡＣ結合素子の他端に接続され、前記第２受信電極に容量結合される第２送信電極と、
前記第１送信電極と前記第２送信電極との間に接続された終端抵抗と、を有し、
前記駆動電流は前記終端抵抗に流れる、ことを特徴とする請求項８乃至１０のいずれか一項に記載の通信システム。
【発明の詳細な説明】
【技術分野】
【０００１】
本発明の実施形態は、送信回路及び通信システムに関する。
【背景技術】
【０００２】
送信インダクタを介して信号を送信する送信回路と、送信インダクタに誘導結合した受信インダクタを介して信号を受信する受信回路と、を備える通信システムが知られている。受信回路は、受信した信号から、送信された元のデータパターンを復元する。
【０００３】
このような通信システムにおいて、受信信号の波形品質の悪化を抑制した上で送信回路の消費電力を低減することが好ましい。
【先行技術文献】
【特許文献】
【０００４】
【特許文献１】特開２００５−３４８２６４号公報
【発明の概要】
【発明が解決しようとする課題】
【０００５】
本発明が解決しようとする課題は、受信信号の波形品質の悪化を抑制した上で消費電力を低減できる送信回路及び通信システムを提供することである。
【課題を解決するための手段】
【０００６】
実施形態によれば、送信回路は、受信ＡＣ結合素子を介して信号を受信する受信回路に対して、前記受信ＡＣ結合素子にＡＣ結合される送信ＡＣ結合素子を介して信号を送信する。前記送信回路は、送信する送信信号に同期して駆動信号を生成する駆動信号生成回路と、駆動回路と、を備える。前記駆動回路は、前記駆動信号に応じて、前記送信信号の立ち上がりエッジ及び立ち下がりエッジに同期して予め定められた駆動期間の間前記送信ＡＣ結合素子の両端間に駆動電流を流す。前記駆動回路は、前記駆動期間の後、前記送信ＡＣ結合素子の両端に印加電圧を印加する。
【図面の簡単な説明】
【０００７】
【図１】第１の実施形態に係る通信システムの概略的な構成を示すブロック図である。
【図２】図１の通信システムの駆動回路の構成を示す回路図である。
【図３】図１の通信システムのタイミング図である。
【図４】第１比較例の通信システムのタイミング図である。
【図５】第２比較例の通信システムのタイミング図である。
【図６】ＰＷＭ信号を用いた図１の通信システムの概略的な構成を示すブロック図である。
【図７】図６の通信システムのタイミング図である。
【図８】第２の実施形態に係る駆動回路の構成を示す回路図である。
【図９】第３の実施形態に係る駆動回路の構成を示す回路図である。
【図１０】第４の実施形態に係る駆動回路の構成を示す回路図である。
【図１１】図１の通信システムの同相電圧の変動を説明するタイミング図である。
【図１２】第５の実施形態に係る駆動回路の構成を示す回路図である。
【図１３】第５の実施形態に係る通信システムのタイミング図である。
【図１４】第６の実施形態に係る駆動回路の構成を示す回路図である。
【図１５Ａ】第７の実施形態に係る駆動回路の構成を示す回路図である。
【図１５Ｂ】図１５Ａの第１から第４のスイッチ素子の他の一例を示す回路図である。
【図１６】第８の実施形態に係る駆動回路の構成を示す回路図である。
【図１７】第９の実施形態に係る通信システムの概略的な構成を示すブロック図である。
【発明を実施するための形態】
【０００８】
以下に、図面を参照して本発明の実施形態について説明する。これらの実施形態は、本発明を限定するものではない。
【０００９】
（第１の実施形態）
図１は、第１の実施形態に係る通信システムの概略的な構成を示すブロック図である。図１に示すように、通信システム１は、送信機１０と、受信機２０と、を備える。送信機１０と受信機２０とは、ＡＣ結合を用いた非接触通信を行う。ここでは、ＡＣ結合として誘導結合を用いる一例について説明する。
【００１０】
送信機１０は、送信ＡＣ結合素子Ｅ１と、一対の第１伝送線路ＴＬ１，ＴＬ１と、送信回路１１と、を有する。送信ＡＣ結合素子Ｅ１は、送信インダクタＬ１である。送信インダクタＬ１、第１伝送線路ＴＬ１，ＴＬ１および送信回路１１は、例えば、送信機１０のプリント配線基板上に設けられている。送信インダクタＬ１は、例えば、平面状のインダクタである。
【００１１】
第１伝送線路ＴＬ１，ＴＬ１は、例えばマイクロストリップライン等であり、送信回路１１と送信インダクタＬ１の両端Ｎ１，Ｎ２とを接続している。
【００１２】
送信回路１１は、第１伝送線路ＴＬ１，ＴＬ１及び送信インダクタＬ１を介して、送信する送信信号Ｓｔｘに応じた差動の信号を受信機２０の受信回路２１に対して送信する。以下、差動の信号について説明するが、単相（シングルエンド）の信号であってもよい。
【００１３】
送信回路１１は、駆動信号生成回路１２と、駆動回路１３と、を備える。駆動信号生成回路１２は、送信する送信信号Ｓｔｘに同期して駆動信号Ｓｄｒを生成する。送信信号Ｓｔｘは、所定の変調方式で変調されている。送信信号Ｓｔｘは、外部から駆動信号生成回路１２に供給されてもよく、変調器として機能する駆動信号生成回路１２の内部で生成されてもよい。
【００１４】
駆動回路１３は、駆動信号Ｓｄｒに応じて、送信信号Ｓｔｘの立ち上がりエッジ及び立ち下がりエッジに同期して予め定められた駆動期間Ｔｄｒの間送信インダクタＬ１の両端Ｎ１，Ｎ２間に駆動電流Ｉｄｒを流す。駆動回路１３は、駆動期間Ｔｄｒの後、送信インダクタＬ１の両端Ｎ１，Ｎ２に印加電圧を印加する。
【００１５】
受信機２０は、受信ＡＣ結合素子Ｅ２と、一対の第２伝送線路ＴＬ２，ＴＬ２と、受信回路２１と、を有する。受信ＡＣ結合素子Ｅ２は、受信インダクタＬ２である。受信インダクタＬ２、第２伝送線路ＴＬ２，ＴＬ２および受信回路２１は、例えば、受信機２０のプリント配線基板上に設けられている。受信インダクタＬ２は、例えば、平面状のインダクタである。
【００１６】
通信を行う際には、送信インダクタＬ１と受信インダクタＬ２とが近接するよう、送信機１０と受信機２０とは近接して配置される。送信インダクタＬ１と受信インダクタＬ２との距離は、例えば、数百μｍである。このように配置されることにより、受信インダクタＬ２は送信インダクタＬ１に誘導結合（ＡＣ結合）される。これにより、送信インダクタＬ１から受信インダクタＬ２に電磁誘導によって信号が伝達される。
【００１７】
第２伝送線路ＴＬ２，ＴＬ２は、例えばマイクロストリップライン等であり、受信インダクタＬ２の両端と受信回路２１とを接続している。
【００１８】
受信回路２１は、受信インダクタＬ２と第２伝送線路ＴＬ２，ＴＬ２とを介して、送信された信号に応じた差動の第１受信信号Ｓｒｘ１を受信する。
【００１９】
受信回路２１は、ヒステリシス回路（ヒステリシスバッファ）２２と、復調器２３と、を有する。ヒステリシス回路２２は、入出力特性にヒステリシスを有し、第１受信信号Ｓｒｘ１に応じて第２受信信号Ｓｒｘ２を出力する。具体的には、ヒステリシス回路２２は、第１受信信号Ｓｒｘ１が正の第１閾値電圧以上に変化した場合に“Ｈ”（ハイレベル）の第２受信信号Ｓｒｘ２を出力し、第１受信信号Ｓｒｘ１が負の第２閾値電圧以下に変化した場合に“Ｌ”（ローレベル）の第２受信信号Ｓｒｘ２を出力する。
【００２０】
復調器２３は、変調方式に対応した方式で、第２受信信号Ｓｒｘ２に基づいて受信データを復調する。
【００２１】
図２は、図１の通信システム１の駆動回路１３の構成を示す回路図である。図２に示すように、駆動回路１３は、第１のスイッチ素子ＳＷ１と、第２のスイッチ素子ＳＷ２と、第３のスイッチ素子ＳＷ３と、第４のスイッチ素子ＳＷ４と、抵抗（第５のインピーダンス素子）Ｒ１と、抵抗（第６のインピーダンス素子）Ｒ２と、を有する。
【００２２】
第１から第４のスイッチ素子ＳＷ１〜ＳＷ４として、例えば、ＮＭＯＳトランジスタなどのトランジスタを用いてもよい。
【００２３】
第１のスイッチ素子ＳＷ１は、駆動電圧（第１電圧）ＶＭＩＤが供給される一端と、抵抗Ｒ１を介して送信インダクタＬ１の一端Ｎ１に接続される他端と、を有する。
【００２４】
第２のスイッチ素子ＳＷ２は、接地電圧（第２電圧）が供給される一端と、抵抗Ｒ１を介して送信インダクタＬ１の一端Ｎ１に接続される他端と、を有する。
【００２５】
第３のスイッチ素子ＳＷ３は、駆動電圧ＶＭＩＤが供給される一端と、抵抗Ｒ２を介して送信インダクタＬ１の他端Ｎ２に接続される他端と、を有する。
【００２６】
第４のスイッチ素子ＳＷ４は、接地電圧が供給される一端と、抵抗Ｒ２を介して送信インダクタＬ１の他端Ｎ２に接続される他端と、を有する。
【００２７】
つまり、抵抗Ｒ１は、第１のスイッチ素子ＳＷ１の他端及び第２のスイッチ素子ＳＷ２の他端の接続ノードと、送信インダクタＬ１の一端Ｎ１との間に接続されている。抵抗Ｒ２は、第３のスイッチ素子ＳＷ３の他端及び第４のスイッチ素子ＳＷ４の他端の接続ノードと、送信インダクタＬ１の他端Ｎ２との間に接続されている。抵抗Ｒ１，Ｒ２は、駆動回路１３の出力インピーダンスを決める。
【００２８】
駆動信号生成回路１２は、第１及び第４のスイッチ素子ＳＷ１，ＳＷ４、又は、第２及び第３のスイッチ素子ＳＷ２，ＳＷ３を駆動期間Ｔｄｒの間導通させて駆動電流Ｉｄｒを流し、駆動期間Ｔｄｒの経過後、第２及び第４のスイッチ素子ＳＷ２，ＳＷ４を導通させて送信インダクタＬ１の両端Ｎ１，Ｎ２に印加電圧を印加する。印加電圧は、接地電圧である。
【００２９】
図３は、図１の通信システム１のタイミング図である。図３に示す例では、送信信号Ｓｔｘは、時刻ｔ１において“Ｈ”から“Ｌ”に変化し、時刻ｔ３において“Ｌ”から“Ｈ”に変化している。
【００３０】
駆動信号生成回路１２は、内部の信号として、時刻ｔ１の送信信号Ｓｔｘの立ち下がりエッジに同期して、駆動期間Ｔｄｒの間“Ｈ”になるパルス信号Ｓｐ１を生成する。パルス信号Ｓｐ１は、時刻ｔ１から時刻ｔ２の間、“Ｈ”になる。
【００３１】
駆動信号生成回路１２は、パルス信号Ｓｐ１に応じて、時刻ｔ１から時刻ｔ２の間所定の正電圧になる駆動信号Ｓｄｒを生成する。
【００３２】
駆動信号Ｓｄｒが正の場合、第２及び第３のスイッチ素子ＳＷ２，ＳＷ３が導通し、第１及び第４のスイッチ素子ＳＷ１，ＳＷ４が非導通になるように、駆動回路１３は構成されている。
【００３３】
これにより、時刻ｔ１から時刻ｔ２の間、第２及び第３のスイッチ素子ＳＷ２，ＳＷ３は導通し、第１及び第４のスイッチ素子ＳＷ１，ＳＷ４は非導通であり、送信インダクタＬ１には駆動期間Ｔｄｒの間正の駆動電流Ｉｄｒが流れる。
【００３４】
従って、第１受信信号Ｓｒｘ１として、時刻ｔ１において正のパルスが発生し、時刻ｔ２において負のパルスが発生する。
【００３５】
よって、時刻ｔ１の前において“Ｈ”である第２受信信号Ｓｒｘ２は、時刻ｔ１では変化せず、時刻ｔ２において“Ｌ”に変化する。
【００３６】
例えば、時刻ｔ１から通信開始する場合、通信開始時における送信信号Ｓｔｘの初期値の論理は“Ｌ”であり、時刻ｔ１までの待ち受け時の第２受信信号Ｓｒｘ２の論理は“Ｈ”に設定されている。これにより、送信信号Ｓｔｘの初期値“Ｌ”を受信することができる。つまり、待ち受け時の第２受信信号Ｓｒｘ２の論理は、送信信号Ｓｔｘの初期値の論理とは異なる。
【００３７】
これに対して、送信信号Ｓｔｘの初期値の論理が“Ｌ”であり、時刻ｔ１までの待ち受け時の第２受信信号Ｓｒｘ２の論理が“Ｌ”である場合、即ち、これらの論理が同じである場合、第２受信信号Ｓｒｘ２は、時刻ｔ１において“Ｈ”になり、時刻ｔ２において“Ｌ”になる。従って、送信信号Ｓｔｘの初期値“Ｌ”とは異なる“Ｈ”を受信してしまい、誤受信となる。
【００３８】
時刻ｔ２からｔ３の間は、駆動信号Ｓｄｒは０Ｖである。駆動信号Ｓｄｒが０Ｖの場合、第２及び第４のスイッチ素子ＳＷ２，ＳＷ４が導通し、第１及び第３のスイッチ素子ＳＷ１，ＳＷ３が非導通になるように、駆動回路１３は構成されている。これにより、時刻ｔ２からｔ３の間、第２及び第４のスイッチ素子ＳＷ２，ＳＷ４が導通し、第１及び第３のスイッチ素子ＳＷ１，ＳＷ３は非導通である。よって、送信インダクタＬ１の両端Ｎ１，Ｎ２に印加電圧として接地電圧が印加されている。
【００３９】
従って、駆動電流Ｉｄｒは０Ａである。そのため、第１受信信号Ｓｒｘ１も変化せず、第２受信信号Ｓｒｘ２も変化しない。
【００４０】
次に、時刻ｔ３において、駆動信号生成回路１２は、内部の信号として、時刻ｔ３の送信信号Ｓｔｘの立ち上がりエッジに同期して、駆動期間Ｔｄｒの間“Ｈ”になるパルス信号Ｓｐ２を生成する。パルス信号Ｓｐ２は、時刻ｔ３から時刻ｔ４の間、“Ｈ”になる。
【００４１】
駆動信号生成回路１２は、パルス信号Ｓｐ２に応じて、時刻ｔ３から時刻ｔ４の間所定の負電圧になる駆動信号Ｓｄｒを生成する。
【００４２】
駆動信号Ｓｄｒが負の場合、第１及び第４のスイッチ素子ＳＷ１，ＳＷ４が導通し、第２及び第３のスイッチ素子ＳＷ２，ＳＷ３が非導通になるように、駆動回路１３は構成されている。
【００４３】
これにより、時刻ｔ３から時刻ｔ４の間、第１及び第４のスイッチ素子ＳＷ１，ＳＷ４は導通し、第２及び第３のスイッチ素子ＳＷ２，ＳＷ３は非導通であり、送信インダクタＬ１には駆動期間Ｔｄｒの間負の駆動電流Ｉｄｒが流れる。つまり、駆動回路１３は、送信信号Ｓｔｘの立ち上がりエッジに基づく駆動電流Ｉｄｒの方向を、送信信号Ｓｔｘの立ち下がりエッジに基づく駆動電流Ｉｄｒの方向と反対にする。
【００４４】
従って、第１受信信号Ｓｒｘ１として、時刻ｔ３において負のパルスが発生し、時刻ｔ４において正のパルスが発生する。
【００４５】
よって、時刻ｔ２以降“Ｌ”である第２受信信号Ｓｒｘ２は、時刻ｔ３では変化せず、時刻ｔ４において“Ｈ”に変化する。つまり、ヒステリシス回路２２は、駆動電流Ｉｄｒが０に変化するタイミングに同期して第２受信信号Ｓｒｘ２の論理を変化させる。
【００４６】
時刻ｔ４以降は、駆動信号Ｓｄｒは０Ｖであり、第２及び第４のスイッチ素子ＳＷ２，ＳＷ４が導通し、第１及び第３のスイッチ素子ＳＷ１，ＳＷ３は非導通である。よって、送信インダクタＬ１の両端Ｎ１，Ｎ２に印加電圧として接地電圧が印加されている。
【００４７】
従って、駆動電流Ｉｄｒは０Ａであり、第１受信信号Ｓｒｘ１も変化せず、第２受信信号Ｓｒｘ２も変化しない。
【００４８】
このように、受信回路２１において、送信信号Ｓｔｘと等価な第２受信信号Ｓｒｘ２を得ることができる。
【００４９】
また、駆動期間Ｔｄｒは、送信信号Ｓｔｘの信号レベル保持期間Ｔｓの最小期間より短い。信号レベル保持期間Ｔｓとは、信号レベル（“Ｈ”又は“Ｌ”）が一定である期間を表す。そのため、送信信号Ｓｔｘの信号レベル保持期間Ｔｓのうち駆動期間Ｔｄｒ以外の期間（例えば、時刻ｔ２からｔ３）には、駆動電流Ｉｄｒが流れないようになっている。従って、送信回路１１の消費電力を低減できる。
【００５０】
ここで、第１比較例の通信システムについて説明する。第１比較例の通信システムでは、基本的な構成は図１と同様であるが、駆動信号生成回路１２の機能が異なる。
【００５１】
図４は、第１比較例の通信システムのタイミング図である。図３と図４において、送信信号Ｓｔｘは同じ信号である。
【００５２】
駆動信号Ｓｄｒは、送信信号Ｓｔｘが“Ｈ”である時刻ｔ１まで、所定の正電圧になり、送信信号Ｓｔｘが“Ｌ”である時刻ｔ１から時刻ｔ３の間、所定の負電圧になり、送信信号Ｓｔｘが“Ｈ”である時刻ｔ３以降、所定の正電圧になる。
【００５３】
これにより、送信インダクタＬ１には、時刻ｔ１まで正の駆動電流Ｉｄｒが流れ、時刻ｔ１から時刻ｔ３の間、負の駆動電流Ｉｄｒが流れ、時刻ｔ３以降、正の駆動電流Ｉｄｒが流れる。
【００５４】
従って、第１受信信号Ｓｒｘ１として、時刻ｔ１において負のパルスが発生し、時刻ｔ３において正のパルスが発生する。
【００５５】
よって、第２受信信号Ｓｒｘ２は、時刻ｔ１において“Ｈ”から“Ｌ”に変化し、時刻ｔ３において“Ｈ”に変化する。
【００５６】
このように、第１比較例の通信システムにおいても、送信信号Ｓｔｘと等価な第２受信信号Ｓｒｘ２を得ることができる。しかし、送信インダクタＬ１には、常に正又は負の駆動電流Ｉｄｒが流れている。従って、第１比較例の通信システムでは、第１の実施形態と比較して消費電力が大きい。
【００５７】
次に、第２比較例の通信システムについて説明する。第２比較例の通信システムは、図３と同じタイミングで動作するが、駆動期間Ｔｄｒ後の第１から第４のスイッチ素子ＳＷ１〜ＳＷ４の制御が異なる。
【００５８】
図５は、第２比較例の通信システムのタイミング図である。図５は、図３の時刻ｔ１，ｔ２付近を示している。時刻ｔ１からｔ２まで第２及び第３のスイッチ素子ＳＷ２，ＳＷ３が導通し、時刻ｔ２以降では第１から第４のスイッチ素子ＳＷ１〜ＳＷ４が非導通になる。これにより、駆動電流Ｉｄｒがゼロになることが期待できる。しかし、現実的には、送信インダクタＬ１の両端Ｎ１，Ｎ２のそれぞれに寄生容量が存在するため、送信インダクタＬ１の両端Ｎ１，Ｎ２がフローティング状態となることにより、上記寄生容量と送信インダクタＬ１とにより共振が発生する。また、多重反射も発生する。そのため、時刻ｔ２の後、駆動電流Ｉｄｒにはリンギングが生じる。
【００５９】
よって、第１受信信号Ｓｒｘ１にもリンギングが生じ、波形品質が悪化する。これにより、正しい第２受信信号Ｓｒｘ２を得ることができない可能性が高まる。
【００６０】
これに対して、本実施形態では、駆動期間Ｔｄｒの後、第１から第４のスイッチ素子ＳＷ１〜ＳＷ４を非導通にすることなく、第２及び第４のスイッチ素子ＳＷ２，ＳＷ４を導通させるようにしているので、送信インダクタＬ１の両端の電圧は接地電圧に固定される。これにより、図３に示したように、駆動電流Ｉｄｒのリンギングを抑制できる。従って、第１受信信号Ｓｒｘ１の波形品質の悪化を抑制でき、正しい第２受信信号Ｓｒｘ２を得ることができる。
【００６１】
ところで、第１の実施形態の通信システム１において、通信方式は特に限定されない。例えば、送信信号Ｓｔｘは、非同期のＰＷＭ（Ｐｕｌｓｅ  Ｗｉｄｔｈ  Ｍｏｄｕｌａｔｉｏｎ）信号であってもよく、非同期のトリガー信号であってもよく、同期通信方式におけるＮＲＺ（Ｎｏｎ  Ｒｅｔｕｒｎ  ｔｏ  Ｚｅｒｏ）信号であってもよい。このような“Ｈ”又は“Ｌ”の期間が長い送信信号Ｓｔｘを送信する場合に、消費電力の削減効果が大きくなる。つまり、駆動電流Ｉｄｒは、送信信号Ｓｔｘの立ち上がりエッジ及び立ち下がりエッジに同期して駆動期間Ｔｄｒの間流れるため、“Ｈ”等の期間が長い送信信号Ｓｔｘの場合、駆動電流Ｉｄｒが流れない期間が相対的に長い。一方、“Ｈ”等の期間が短い送信信号Ｓｔｘの場合、駆動電流Ｉｄｒが頻繁に流れ、駆動電流Ｉｄｒが流れない期間は相対的に短い。
【００６２】
なお、同期通信方式を用いる場合には、クロック・データ・リカバリ技術を利用してもよく、同期用のクロック信号を伝送するためのクロック信号伝送経路を送信機１０と受信機２０との間に追加してもよい。クロック信号伝送経路は、ＡＣ結合を用いて構成してもよく、有線で構成してもよい。
【００６３】
次に、一例として、ＰＷＭ信号を用いた通信システム１について、図６，７を参照して説明する。
【００６４】
図６は、ＰＷＭ信号を用いた図１の通信システム１の概略的な構成を示すブロック図である。図６に示すように、駆動信号生成回路１２は、クロック信号生成器４０と、第１基準信号生成器４１，４２と、第２基準信号生成器４３と、第１パルス生成器４４と、第２パルス生成器４５と、第３パルス生成器４６と、マルチプレクサ（選択回路）４７と、信号合成回路４８と、を有する。
【００６５】
図７は、図６の通信システム１のタイミング図である。図７に示すように、送信する送信データＤｔの１ビットの長さをＴ（秒）とする。
【００６６】
クロック信号生成器４０は、クロック信号Ｖｎ０を生成する。一例として、クロック信号Ｖｎ０の周期はＴ／１２とする。
【００６７】
第１基準信号生成器４１，４２は、クロック信号Ｖｎ０に同期して、送信する送信データＤｔの第１論理“１”に対応する第１基準信号Ｖｎ０１，Ｖｎ０２を生成する。第１基準信号Ｖｎ０１，Ｖｎ０２は、第１パルス幅ＰＷ１のパルスを周期Ｔで繰り返し含む。ここでは、第１パルス幅ＰＷ１は、２Ｔ／３である。つまり、第１基準信号Ｖｎ０１，Ｖｎ０２は、時刻ｔ１１からＴ／３の期間は“Ｌ”であり、その後、２Ｔ／３の期間“Ｈ”になる。第１基準信号生成器４１，４２は、１つだけ設けられてもよい。
【００６８】
第２基準信号生成器４３は、クロック信号Ｖｎ０に同期して、送信データＤｔの第２論理“０”に対応する第２基準信号Ｖｎ０３を生成する。第２基準信号Ｖｎ０３は、第２パルス幅ＰＷ２のパルスを周期Ｔで繰り返し含む。第２パルス幅ＰＷ２は、第１パルス幅ＰＷ１より狭く、ここではＴ／３である。つまり、第２基準信号Ｖｎ０３は、時刻ｔ１１から２Ｔ／３の期間は“Ｌ”であり、その後Ｔ／３の期間“Ｈ”になる。
【００６９】
第１基準信号Ｖｎ０１，Ｖｎ０２の立ち下がりエッジのタイミングは、第２基準信号Ｖｎ０３の立ち下がりエッジのタイミングと等しい。第１基準信号Ｖｎ０１，Ｖｎ０２の立ち上がりエッジのタイミングは、第２基準信号Ｖｎ０３の立ち上がりエッジのタイミングと異なる。
【００７０】
図示しない送信信号Ｓｔｘは、送信データＤｔが第１論理“１”である場合、第１基準信号Ｖｎ０１，Ｖｎ０２と等しく、送信データＤｔが第２論理“０”である場合、第２基準信号Ｖｎ０３と等しい。図７の例では、時刻ｔ１１からｔ１２までは、送信信号Ｓｔｘは第２基準信号Ｖｎ０３と等しい。時刻ｔ１２からｔ１３までは、送信信号Ｓｔｘは第１基準信号Ｖｎ０１，Ｖｎ０２と等しい。従って、送信信号Ｓｔｘは、周期Ｔで“Ｌ”と“Ｈ”を交互に繰り返し、送信データＤｔに応じて１周期Ｔ中の“Ｈ”の期間が異なるＰＷＭ信号となる。つまり、送信信号Ｓｔｘは、送信データＤｔに応じて１周期Ｔ中の“Ｈ”の期間が異なるように変調されている。
【００７１】
第１パルス生成器４４は、第１基準信号Ｖｎ０１又は第２基準信号Ｖｎ０３の立ち下がりエッジに同期して、駆動期間Ｔｄｒに対応したパルス幅Ｔｄｒのパルスを含む第１パルス信号Ｖｎ１を生成する。図示する例では、第１パルス信号Ｖｎ１は、第１基準信号Ｖｎ０１の立ち下がりエッジに同期している。
【００７２】
第２パルス生成器４５は、第１基準信号Ｖｎ０２の立ち上がりエッジに同期して、駆動期間Ｔｄｒに対応したパルス幅Ｔｄｒのパルスを含む第２パルス信号Ｖｎ２を生成する。
【００７３】
第３パルス生成器４６は、第２基準信号Ｖｎ０３の立ち上がりエッジに同期して、駆動期間Ｔｄｒに対応したパルス幅Ｔｄｒのパルスを含む第３パルス信号Ｖｎ３を生成する。
【００７４】
マルチプレクサ４７は、送信データＤｔに応じて、第２パルス信号Ｖｎ２と第３パルス信号Ｖｎ３との何れかを選択して出力する。ここでは、マルチプレクサ４７は、送信データＤｔが“１”の場合、第２パルス信号Ｖｎ２を選択し、送信データＤｔが“０”の場合、第３パルス信号Ｖｎ３を選択する。
【００７５】
信号合成回路４８は、第１パルス信号Ｖｎ１とマルチプレクサ４７の出力信号Ｖｍとを合成して駆動信号Ｓｄｒを生成する。具体的には、信号合成回路４８は、第１パルス信号Ｖｎ１に同期して正の電圧となり、マルチプレクサ４７の出力信号Ｖｍ（第２パルス信号Ｖｎ２又は第３パルス信号Ｖｎ３）に同期して負の電圧となる駆動信号Ｓｄｒを生成する。
【００７６】
従って、インダクタＬ１には、駆動信号Ｓｄｒに応じて駆動電流Ｉｄｒが流れる。図２と同様に、駆動電流Ｉｄｒは駆動期間Ｔｄｒの間流れるので、消費電力を低減できる。
【００７７】
そして、第１受信信号Ｓｒｘ１として、駆動電流Ｉｄｒの立ち上がりエッジに同期して正のパルスが発生し、駆動電流Ｉｄｒの立ち下がりエッジに同期して負のパルスが発生する。
【００７８】
このようにして、送信信号Ｓｔｘと等価な第２受信信号Ｓｒｘ２を得ることができる。つまり、時刻ｔ１１ａからｔ１２ａまでの第２受信信号Ｓｒｘ２は、時刻ｔ１１からｔ１２までの第２基準信号Ｖｎ０３と等価である。時刻ｔ１２ａからｔ１３ａまでの第２受信信号Ｓｒｘ２は、時刻ｔ１２からｔ１３までの第１基準信号Ｖｎ０１，Ｖｎ０２と等価である。前述のように、時刻ｔ１１からｔ１２までは、送信信号Ｓｔｘは第２基準信号Ｖｎ０３と等しく、時刻ｔ１２からｔ１３までは、送信信号Ｓｔｘは第１基準信号Ｖｎ０１，Ｖｎ０２と等しい。そのため、第２受信信号Ｓｒｘ２は、送信信号Ｓｔｘと等価である。
【００７９】
復調器２３は、第２受信信号Ｓｒｘ２の“Ｈ”の期間の長さに基づいて、受信データを復調する。つまり、復調器２３は、第２受信信号Ｓｒｘ２の“Ｌ”の期間の次の“Ｈ”の期間の長さが比較的長い（２Ｔ／３程度）場合、受信データとして論理“１”を復調する。また、復調器２３は、第２受信信号Ｓｒｘ２の“Ｌ”の期間の次の“Ｈ”の期間の長さが比較的短い（Ｔ／３程度）場合、受信データとして論理“０”を復調する。従って、送信データＤｔと等しい受信データを得ることができる。
【００８０】
以上で説明したように、本実施形態によれば、送信信号Ｓｔｘの立ち上がりエッジ及び立ち下がりエッジに同期して駆動期間Ｔｄｒの間送信インダクタＬ１に駆動電流Ｉｄｒが流れるようにしている。これにより、駆動期間Ｔｄｒが経過した後の送信信号Ｓｔｘが変化していない期間には、駆動電流Ｉｄｒが流れないようにできる。従って、送信回路１１の消費電力を低減できる。
【００８１】
また、駆動期間Ｔｄｒの後、第２及び第４のスイッチ素子ＳＷ２，ＳＷ４を導通させて、第１及び第３のスイッチ素子ＳＷ１，ＳＷ３を非導通にして、送信インダクタＬ１の両端Ｎ１，Ｎ２に接地電圧を供給するようにしている。これにより、駆動電流Ｉｄｒのリンギングを抑制できる。従って、第１受信信号Ｓｒｘ１の波形品質の悪化を抑制できる。
【００８２】
なお、駆動信号生成回路１２は、駆動期間Ｔｄｒの後、第１及び第３のスイッチ素子ＳＷ１，ＳＷ３を導通させて、第２及び第４のスイッチ素子ＳＷ２，ＳＷ４を非導通にして、送信インダクタＬ１の両端Ｎ１，Ｎ２に印加電圧として駆動電圧ＶＭＩＤを印加してもよい。このようにしても、駆動電流Ｉｄｒのリンギングを抑制できる。
【００８３】
（第２の実施形態）
第２の実施形態では、駆動回路１３の構成が第１の実施形態と異なる。
【００８４】
図８は、第２の実施形態に係る駆動回路１３Ａの構成を示す回路図である。図８では、図２と共通する構成部分には同一の符号を付しており、以下では相違点を中心に説明する。
【００８５】
駆動回路１３Ａは、図２の抵抗Ｒ１，Ｒ２に代えて、抵抗（第５のインピーダンス素子）Ｒ１１と、抵抗（第６のインピーダンス素子）Ｒ１２と、抵抗（第７のインピーダンス素子）Ｒ１３と、抵抗（第８のインピーダンス素子）Ｒ１４と、を有する。
【００８６】
抵抗Ｒ１１は、第１のスイッチ素子ＳＷ１の他端と、送信インダクタＬ１の一端Ｎ１との間に接続されている。抵抗Ｒ１２は、第２のスイッチ素子ＳＷ２の他端と、送信インダクタＬ１の一端Ｎ１との間に接続されている。
【００８７】
抵抗Ｒ１３は、第３のスイッチ素子ＳＷ３の他端と、送信インダクタＬ１の他端Ｎ２との間に接続されている。抵抗Ｒ１４は、第４のスイッチ素子ＳＷ４の他端と、送信インダクタＬ１の他端Ｎ２との間に接続されている。抵抗Ｒ１１〜Ｒ１４は、駆動回路１３Ａの出力インピーダンスを決める。
【００８８】
このような駆動回路１３Ａを用いた通信システム１においても、第１の実施形態と同様の効果が得られる。
【００８９】
（第３の実施形態）
第３の実施形態では、駆動回路１３のスイッチ素子の数が第１の実施形態と異なる。
【００９０】
図９は、第３の実施形態に係る駆動回路１３Ｂの構成を示す回路図である。図９では、図２と共通する構成部分には同一の符号を付しており、以下では相違点を中心に説明する。
【００９１】
駆動回路１３Ｂは、抵抗（第１のインピーダンス素子）Ｒ２１と、抵抗（第２のインピーダンス素子）Ｒ２２と、第１のスイッチ素子ＳＷ１と、第２のスイッチ素子ＳＷ２と、定電流源Ｉ１と、を有する。
【００９２】
抵抗Ｒ２１は、駆動電圧（第１電圧）ＶＭＩＤが供給される一端と、送信インダクタＬ１の一端Ｎ１に接続される他端と、を有する。
【００９３】
抵抗Ｒ２２は、駆動電圧ＶＭＩＤが供給される一端と、送信インダクタＬ１の他端Ｎ２に接続される他端と、を有する。
【００９４】
第１のスイッチ素子ＳＷ１は、抵抗Ｒ２１の他端に接続される一端を有する。第２のスイッチ素子ＳＷ２は、抵抗Ｒ２２の他端に接続される一端を有する。
【００９５】
定電流源Ｉ１は、第１のスイッチ素子ＳＷ１の他端および第２のスイッチ素子ＳＷ２の他端に接続される一端と、接地電圧（第２電圧）が供給される他端と、を有する。
【００９６】
駆動信号生成回路１２は、送信信号Ｓｔｘの立ち上がりエッジ及び立ち下がりエッジに同期して、第１のスイッチ素子ＳＷ１又は第２のスイッチ素子ＳＷ２を駆動期間Ｔｄｒの間導通させて駆動電流Ｉｄｒを流す。また、駆動信号生成回路１２は、駆動期間Ｔｄｒの後、第１及び第２のスイッチ素子ＳＷ１，ＳＷ２を非導通にして送信インダクタＬ１の両端Ｎ１，Ｎ２に印加電圧を印加する。
【００９７】
第１のスイッチ素子ＳＷ１が導通した場合、定電流源Ｉ１の定電流に基づき、抵抗Ｒ２２と送信インダクタＬ１とに正の駆動電流Ｉｄｒが流れると共に、抵抗Ｒ２１にも電流が流れる。第２のスイッチ素子ＳＷ２が導通した場合、抵抗Ｒ２１と送信インダクタＬ１とに負の駆動電流Ｉｄｒが流れると共に、抵抗Ｒ２２にも電流が流れる。
【００９８】
本実施形態によれば、駆動期間Ｔｄｒの後、第１のスイッチ素子ＳＷ１及び第２のスイッチ素子ＳＷ２を非導通にしているので、送信インダクタＬ１の一端Ｎ１には抵抗Ｒ２１を介して印加電圧として駆動電圧ＶＭＩＤが印加され、送信インダクタＬ１の他端Ｎ２には抵抗Ｒ２２を介して印加電圧として駆動電圧ＶＭＩＤが印加されるようになる。従って、送信インダクタＬ１の両端Ｎ１，Ｎ２の電圧が安定するので、第１の実施形態と同様の効果を得ることができる。
【００９９】
加えて、第１の実施形態よりもスイッチ素子の数を削減できるので、第１及び第２のスイッチ素子ＳＷ１，ＳＷ２の制御が容易になる。
【０１００】
（第４の実施形態）
第４の実施形態は、駆動電圧ＶＭＩＤと接地電圧との関係を逆にしている点において第３の実施形態と異なる。
【０１０１】
図１０は、第４の実施形態に係る駆動回路１３Ｃの構成を示す回路図である。図１０では、図９と共通する構成部分には同一の符号を付しており、以下では相違点を中心に説明する。
【０１０２】
抵抗Ｒ２１は、接地電圧（第１電圧）が供給される一端と、送信インダクタＬ１の一端Ｎ１に接続される他端と、を有する。
【０１０３】
抵抗Ｒ２２は、接地電圧が供給される一端と、送信インダクタＬ１の他端Ｎ２に接続される他端と、を有する。
【０１０４】
第１のスイッチ素子ＳＷ１は、抵抗Ｒ２１の他端に接続される一端を有する。第２のスイッチ素子ＳＷ２は、抵抗Ｒ２２の他端に接続される一端を有する。
【０１０５】
定電流源Ｉ１は、第１のスイッチ素子ＳＷ１の他端および第２のスイッチ素子ＳＷ２の他端に接続される一端と、駆動電圧（第２電圧）ＶＭＩＤが供給される他端と、を有する。
【０１０６】
第３の実施形態と同様に、駆動信号生成回路１２は、駆動期間Ｔｄｒの後、第１のスイッチ素子ＳＷ１及び第２のスイッチ素子ＳＷ２を非導通にする。これにより、送信インダクタＬ１の一端Ｎ１には抵抗Ｒ２１を介して印加電圧として接地電圧が印加され、送信インダクタＬ１の他端Ｎ２には抵抗Ｒ２２を介して印加電圧として接地電圧が印加されるようになる。従って、第３の実施形態と同じ効果が得られる。
【０１０７】
（第５の実施形態）
第５の実施形態の説明に先立ち、第１の実施形態の通信システム１における同相電圧の変動について説明する。
【０１０８】
図１１は、図１の通信システム１の同相電圧の変動を説明するタイミング図である。図１１は、図３に対応する。図１１に示すように、時刻ｔ１まで、第２及び第４のスイッチ素子ＳＷ２，ＳＷ４が導通しているので、送信インダクタＬ１の一端Ｎ１の同相電圧ＶＮ１は、０Ｖである。
【０１０９】
次に、時刻ｔ１において、駆動電流Ｉｄｒを流すために第２及び第３のスイッチ素子ＳＷ２，ＳＷ３が導通するので、送信インダクタＬ１の一端Ｎ１の同相電圧ＶＮ１は、ほぼ駆動電圧ＶＭＩＤ／２に増加する。
【０１１０】
ここで、送信インダクタＬ１の一端Ｎ１と受信インダクタＬ２の一端Ｎ１ｒとの間に、寄生容量Ｃｐ１による容量結合が発生している場合、同相電圧ＶＮ１の増加によって、受信インダクタＬ２の一端Ｎ１ｒの同相電圧ＶＮ１ｒにパルス状の変動が発生する。
【０１１１】
同様に、時刻ｔ２，ｔ３，ｔ４においても、同相電圧ＶＮ１ｒにパルス状の変動が発生する。
【０１１２】
送信インダクタＬ１の他端Ｎ２と受信インダクタＬ２の他端Ｎ２ｒとの間の寄生容量Ｃｐ２によっても、同様に受信インダクタＬ２の他端Ｎ２ｒの同相電圧ＶＮ２ｒが変動する（図示せず）。
【０１１３】
第１受信信号Ｓｒｘ１は、同相電圧ＶＮ１ｒと同相電圧ＶＮ２ｒとの差であり、前述の図３のようになる。そのため、同相電圧ＶＮ１ｒ，ＶＮ２ｒの変動の影響を受け難い受信回路２１を用いた場合には、第１の実施形態で説明したように問題無く動作する。しかし、受信回路２１の同相除去比が比較的低い場合などには、同相電圧ＶＮ１ｒ，ＶＮ２ｒの変動により受信感度が悪化してしまう。
【０１１４】
このことは、第２から第４の実施形態においても同様である。
【０１１５】
そこで、第５の実施形態では、駆動期間Ｔｄｒの後、第１〜第４のスイッチ素子ＳＷ１〜ＳＷ４を導通させる。
【０１１６】
図１２は、第５の実施形態に係る駆動回路１３Ｄの構成を示す回路図である。図１２では、図２と共通する構成部分には同一の符号を付しており、以下では相違点を中心に説明する。
【０１１７】
駆動回路１３Ｄは、図２の構成に加え、抵抗（第１のインピーダンス素子）Ｒ３１と、抵抗（第２のインピーダンス素子）Ｒ３２と、抵抗（第３のインピーダンス素子）Ｒ３３と、抵抗（第４のインピーダンス素子）Ｒ３４と、を備える。抵抗Ｒ３１〜Ｒ３４の抵抗値は、ほぼ等しい。
【０１１８】
抵抗Ｒ３１は、第１のスイッチ素子ＳＷ１の一端と他端との間に接続されている。抵抗Ｒ３２は、第２のスイッチ素子ＳＷ２の一端と他端との間に接続されている。抵抗Ｒ３３は、第３のスイッチ素子ＳＷ３の一端と他端との間に接続されている。抵抗Ｒ３４は、第４のスイッチ素子ＳＷ４の一端と他端との間に接続されている。
【０１１９】
第１の実施形態と同様に、駆動信号生成回路１２は、第１及び第４のスイッチ素子ＳＷ１，ＳＷ４、又は、第２及び第３のスイッチ素子ＳＷ２，ＳＷ３を駆動期間Ｔｄｒの間導通させて駆動電流Ｉｄｒを流す。また、駆動信号生成回路１２は、駆動期間Ｔｄｒの後、第１から第４のスイッチ素子ＳＷ１〜ＳＷ４を導通させて送信インダクタＬ１の両端Ｎ１，Ｎ２に印加電圧を印加する。印加電圧は、ほぼ駆動電圧ＶＭＩＤ／２である。その後、駆動信号生成回路１２は、第１から第４のスイッチ素子ＳＷ１〜ＳＷ４を非導通にして送信インダクタＬ１の両端Ｎ１，Ｎ２に駆動電圧ＶＭＩＤと接地電圧との間の電圧を印加する。駆動電圧ＶＭＩＤと接地電圧との間の電圧は、ほぼ駆動電圧ＶＭＩＤ／２である。
【０１２０】
なお、図１２では、受信回路２１の入力インピーダンスを抵抗Ｒｉｎで等価的に表している。
【０１２１】
図１３は、第５の実施形態に係る通信システム１のタイミング図である。図１３に示す時刻ｔ２の後、即ち駆動期間Ｔｄｒの後、第１から第４のスイッチ素子ＳＷ１〜ＳＷ４が導通することにより、同相電圧ＶＮ１は、ほぼ駆動電圧ＶＭＩＤ／２を維持する。図示は省略するが、同相電圧ＶＮ２も同様である。これにより、駆動電流Ｉｄｒは０Ａになり、駆動電流Ｉｄｒのリンギングを抑制できる。
【０１２２】
次に、時刻ｔ２ａにおいて、第１から第４のスイッチ素子ＳＷ１〜ＳＷ４が非導通になると、同相電圧ＶＮ１は、抵抗Ｒ３１，Ｒ３２によって決まり、ほぼ駆動電圧ＶＭＩＤ／２を維持する。図示は省略するが、同相電圧ＶＮ２も同様である。
【０１２３】
抵抗Ｒ３１〜Ｒ３４の各抵抗値は、第１から第４のスイッチ素子ＳＷ１〜ＳＷ４の導通時の各インピーダンスより高い。そのため、消費電力を低減できる。消費電力を低減する観点から、第１から第４のスイッチ素子ＳＷ１〜ＳＷ４を導通させる期間（時刻ｔ２からｔ２ａ）は、第１から第４のスイッチ素子ＳＷ１〜ＳＷ５を非導通にする期間（時刻ｔ２ａからｔ３）より短いことが好ましい。
【０１２４】
また、時刻ｔ３以降の動作も以上と同様であり、時刻ｔ４において第１から第４のスイッチ素子ＳＷ１〜ＳＷ４が導通し、時刻ｔ４ａにおいて、第１から第４のスイッチ素子ＳＷ１〜ＳＷ４が非導通になる。
【０１２５】
本実施形態によれば、駆動期間Ｔｄｒの後、第１から第４のスイッチ素子ＳＷ１〜ＳＷ４を導通させ、その後、第１から第４のスイッチ素子ＳＷ１〜ＳＷ４を非導通にしている。これにより、駆動期間Ｔｄｒの後、送信インダクタＬ１の両端Ｎ１，Ｎ２の同相電圧ＶＮ１，ＶＮ２は、ほぼ駆動電圧ＶＭＩＤ／２を維持する。つまり、駆動期間Ｔｒと、その後の期間とにおいて、同相電圧ＶＮ１，ＶＮ２を殆ど変化しないようにできる。
【０１２６】
従って、受信回路２１の同相除去比が低い場合などであっても、受信感度の悪化を抑制できる。また、第１の実施形態の効果も得られる。
【０１２７】
（第６の実施形態）
第６の実施形態では、第２の実施形態と第５の実施形態とを組み合わせている。
【０１２８】
図１４は、第６の実施形態に係る駆動回路１３Ｅの構成を示す回路図である。図１４では、図１２と共通する構成部分には同一の符号を付しており、以下では相違点を中心に説明する。
【０１２９】
駆動回路１３Ｅは、図１２の抵抗Ｒ１，Ｒ２に代えて、抵抗Ｒ１１〜Ｒ１４を有する。
【０１３０】
抵抗Ｒ１１は、第１のスイッチ素子ＳＷ１の他端と、送信インダクタＬ１の一端Ｎ１との間に接続されている。抵抗Ｒ１２は、第２のスイッチ素子ＳＷ２の他端と、送信インダクタＬ１の一端Ｎ１との間に接続されている。
【０１３１】
抵抗Ｒ１３は、第３のスイッチ素子ＳＷ３の他端と、送信インダクタＬ１の他端Ｎ２との間に接続されている。抵抗Ｒ１４は、第４のスイッチ素子ＳＷ４の他端と、送信インダクタＬ１の他端Ｎ２との間に接続されている。
【０１３２】
本実施形態においても、第５の実施形態と同様の効果が得られる。また、抵抗Ｒ１１〜Ｒ１４によって、第１から第４のスイッチ素子ＳＷ１〜ＳＷ４が導通している期間の消費電力を、第５の実施形態よりも削減することができる。
【０１３３】
（第７の実施形態）
第７の実施形態では、第５の実施形態の駆動回路１３Ｄの構成を簡略化している。
【０１３４】
図１５Ａは、第７の実施形態に係る駆動回路１３Ｆの構成を示す回路図である。図１５Ａでは、図１２と共通する構成部分には同一の符号を付しており、以下では相違点を中心に説明する。
【０１３５】
駆動回路１３Ｆにおいて、第１から第４のスイッチ素子ＳＷ１〜ＳＷ４は、ＮＭＯＳトランジスタＮＭ１〜ＮＭ４である。第５の実施形態の抵抗Ｒ３１〜Ｒ３４は設けられていない。
【０１３６】
駆動信号生成回路１２は、第１及び第４のスイッチ素子ＳＷ１，ＳＷ４、又は、第２及び第３のスイッチ素子ＳＷ２，ＳＷ３の電流経路の各インピーダンスを駆動期間Ｔｄｒの間低くして駆動電流Ｉｄｒを流す。この時の第１及び第４のスイッチ素子ＳＷ１，ＳＷ４、又は、第２及び第３のスイッチ素子ＳＷ２，ＳＷ３の各インピーダンスは、第５の実施形態の第１から第４のスイッチ素子ＳＷ１〜ＳＷ４の導通時の各インピーダンスと同等である。
【０１３７】
駆動信号生成回路１２は、駆動期間Ｔｄｒの後、第１から第４のスイッチ素子ＳＷ１〜ＳＷ４の電流経路の各インピーダンスを低くして送信インダクタＬ１の両端Ｎ１，Ｎ２に印加電圧を印加する。この時の第１から第４のスイッチ素子ＳＷ１〜ＳＷ４の各インピーダンスは、駆動期間Ｔｄｒの上記インピーダンスと同等である。印加電圧は、ほぼ駆動電圧ＶＭＩＤ／２である。
【０１３８】
その後、駆動信号生成回路１２は、第１から第４のスイッチ素子ＳＷ１〜ＳＷ４の電流経路の各インピーダンスを高くして送信インダクタＬ１の両端Ｎ１，Ｎ２に駆動電圧ＶＭＩＤと接地電圧との間の電圧を印加する。この時の第１から第４のスイッチ素子ＳＷ１〜ＳＷ４の各インピーダンスは、第５の実施形態の抵抗Ｒ３１〜Ｒ３４の各抵抗値と同等である。駆動電圧ＶＭＩＤと接地電圧との間の電圧は、ほぼ駆動電圧ＶＭＩＤ／２である。
【０１３９】
以上から、第５の実施形態の効果が得られる。また、本実施形態によれば、抵抗Ｒ３１〜Ｒ３４が設けられていないので、第５の実施形態よりも構成要素が少なく、設計が容易である。
【０１４０】
なお、第１から第４のスイッチ素子ＳＷ１〜ＳＷ４は、ＰＭＯＳトランジスタ又はバイポーラトランジスタ等の他のトランジスタであってもよく、図１５Ｂに示すように、ＰＭＯＳトランジスタＰＭ１０とＮＭＯＳトランジスタＮＭ１０とが並列に接続されたスイッチ素子であってもよい。
【０１４１】
（第８の実施形態）
第８の実施形態では、第２の実施形態と第７の実施形態とを組み合わせている。
【０１４２】
図１６は、第８の実施形態に係る駆動回路１３Ｇの構成を示す回路図である。図１６では、図１５Ａと共通する構成部分には同一の符号を付しており、以下では相違点を中心に説明する。
【０１４３】
駆動回路１３Ｇは、図１５Ａの抵抗Ｒ１，Ｒ２に代えて、抵抗Ｒ１１〜Ｒ１４を有する。
【０１４４】
抵抗Ｒ１１は、第１のスイッチ素子ＳＷ１の他端と、送信インダクタＬ１の一端Ｎ１との間に接続されている。抵抗Ｒ１２は、第２のスイッチ素子ＳＷ２の他端と、送信インダクタＬ１の一端Ｎ１との間に接続されている。
【０１４５】
抵抗Ｒ１３は、第３のスイッチ素子ＳＷ３の他端と、送信インダクタＬ１の他端Ｎ２との間に接続されている。抵抗Ｒ１４は、第４のスイッチ素子ＳＷ４の他端と、送信インダクタＬ１の他端Ｎ２との間に接続されている。
【０１４６】
本実施形態においても、第７の実施形態と同様の効果が得られる。また、第１から第４のスイッチ素子ＳＷ１〜ＳＷ４が導通している期間の消費電力を、第７の実施形態よりも削減することができる。
【０１４７】
（第９の実施形態）
第９の実施形態は、ＡＣ結合として容量結合を用いた点において第１の実施形態と異なる。
【０１４８】
図１７は、第９の実施形態に係る通信システム１Ａの概略的な構成を示すブロック図である。図１７では、図１と共通する構成部分には同一の符号を付しており、以下では相違点を中心に説明する。
【０１４９】
送信ＡＣ結合素子Ｅ１は、第１送信電極ＴＥ１と、第２送信電極ＴＥ２と、第１送信電極ＴＥ１と第２送信電極ＴＥ２との間に接続された終端抵抗Ｒｔと、を有する。第１送信電極ＴＥ１は、送信ＡＣ結合素子Ｅ１の一端Ｎ１に接続されている。第２送信電極ＴＥ２は、送信ＡＣ結合素子Ｅ１の他端Ｎ２に接続されている。第１送信電極ＴＥ１及び第２送信電極ＴＥ２は、例えば、平面視で円形、楕円形、矩形など任意の形状を有する薄膜状の金属パターンであり、送信機１０Ａのプリント配線基板上に設けられている。
【０１５０】
一方の第１伝送線路ＴＬ１は、送信回路１１と第１送信電極ＴＥ１とを接続している。他方の第１伝送線路ＴＬ１は、送信回路１１と第２送信電極ＴＥ２とを接続している。
【０１５１】
終端抵抗Ｒｔにより、受信機２０Ａから送信機１０Ａへの信号の反射を抑制することができる。
【０１５２】
第１の実施形態と同様に、駆動回路１３は、駆動信号Ｓｄｒに応じて、送信信号Ｓｔｘの立ち上がりエッジ及び立ち下がりエッジに同期して駆動期間Ｔｄｒの間送信ＡＣ結合素子Ｅ１に駆動電流Ｉｄｒを流す。駆動電流Ｉｄｒは、終端抵抗Ｒｔに流れる。
【０１５３】
受信ＡＣ結合素子Ｅ２は、第１受信電極ＲＥ１と、第２受信電極ＲＥ２と、を有する。第１受信電極ＲＥ１及び第２受信電極ＲＥ２は、例えば、平面視で円形、楕円形、矩形など任意の形状を有する薄膜状の金属パターンであり、受信機１０Ａのプリント配線基板上に設けられている。
【０１５４】
一方の第２伝送線路ＴＬ２は、第１受信電極ＲＥ１と受信回路２１とを接続している。他方の第２伝送線路ＴＬ２は、第２受信電極ＲＥ２と受信回路２１とを接続している。
【０１５５】
通信を行う際には、第１送信電極ＴＥ１と第１受信電極ＲＥ１とが近接し、第２送信電極ＴＥ２と第２受信電極ＲＥ２とが近接するよう、送信機１０Ａと受信機２０Ａとは近接して配置される。第１送信電極ＴＥ１と第１受信電極ＲＥ１との距離、及び、第２送信電極ＴＥ２と第２受信電極ＲＥ２との距離は、例えば、数ｍｍである。このように配置されることにより、第１送信電極ＴＥ１は第１受信電極ＲＥ１に容量結合（ＡＣ結合）され、第２送信電極ＴＥ２は第２受信電極ＲＥ２に容量結合される。第１送信電極ＴＥ１と第１受信電極ＲＥ１との間の結合容量Ｃａｃｃ１、及び、第２送信電極ＴＥ２と第２受信電極ＲＥ２との間の結合容量Ｃａｃｃ２は、それぞれ、例えば数百ｆＦ〜数ｐＦになる。これにより、第１送信電極ＴＥ１及び第２送信電極ＴＥ２から第１受信電極ＲＥ１及び第２受信電極ＲＥ２に結合容量Ｃａｃｃ１，Ｃａｃｃ２を介して信号が伝達される。
【０１５６】
このような通信システム１Ａにおいても、第１の実施形態と同様に通信を行うことができる。
【０１５７】
本実施形態においても、駆動期間Ｔｄｒの後、送信ＡＣ結合素子Ｅ１の両端Ｎ１，Ｎ２に接地電圧を供給するようにしているので、第１の実施形態と同様の効果が得られる。
【０１５８】
なお、第１の実施形態の駆動回路１３に代えて、第２から第８の実施形態の駆動回路１３Ａ〜１３Ｇを用いてもよい。
【０１５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１６０】
１，１Ａ  通信システム
１０，１０Ａ  送信機
１１  送信回路
１２  駆動信号生成回路
１３，１３Ａ〜１３Ｇ  駆動回路
２０，２０Ａ  受信機
２１  受信回路
２２  ヒステリシス回路
２３  復調器
ＴＬ１  第１伝送線路
ＴＬ２  第２伝送線路
Ｅ１  送信ＡＣ結合素子
Ｅ２  受信ＡＣ結合素子
Ｌ１  送信インダクタ
Ｌ２  受信インダクタ
ＴＥ１  第１送信電極
ＴＥ２  第２送信電極
ＲＥ１  第１受信電極
ＲＥ２  第２受信電極
Ｒｔ  終端抵抗
ＳＷ１  第１のスイッチ素子
ＳＷ２  第２のスイッチ素子
ＳＷ３  第３のスイッチ素子
ＳＷ４  第４のスイッチ素子
Ｒ１  抵抗（第５のインピーダンス素子）
Ｒ２  抵抗（第６のインピーダンス素子）
Ｒ１１  抵抗（第５のインピーダンス素子）
Ｒ１２  抵抗（第６のインピーダンス素子）
Ｒ１３  抵抗（第７のインピーダンス素子）
Ｒ１４  抵抗（第８のインピーダンス素子）
Ｒ２１  抵抗（第１のインピーダンス素子）
Ｒ２２  抵抗（第２のインピーダンス素子）
Ｒ３１  抵抗（第１のインピーダンス素子）
Ｒ３２  抵抗（第２のインピーダンス素子）
Ｒ３３  抵抗（第３のインピーダンス素子）
Ｒ３４  抵抗（第４のインピーダンス素子）
Ｉ１  定電流源
【図１】
0006495671.tif 000002
【図２】
0006495671.tif 000003
【図３】
0006495671.tif 000004
【図４】
0006495671.tif 000005
【図５】
0006495671.tif 000006
【図６】
0006495671.tif 000007
【図７】
0006495671.tif 000008
【図８】
0006495671.tif 000009
【図９】
0006495671.tif 000010
【図１０】
0006495671.tif 000011
【図１１】
0006495671.tif 000012
【図１２】
0006495671.tif 000013
【図１３】
0006495671.tif 000014
【図１４】
0006495671.tif 000015
【図１５Ａ】
0006495671.tif 000016
【図１５Ｂ】
0006495671.tif 000017
【図１６】
0006495671.tif 000018
【図１７】
0006495671.tif 000019